(57)【特許請求の範囲】
【請求項１】
背凭れと座板とを有する複数の座体を連結した連結椅子において、
前記座板の端縁同士の少なくとも前部側を接触して配置し、前記座板の端縁同士の後部側が離間されて座板隙間部が形成されるとともに、前記背凭れの端部同士が離間されて背凭れ隙間部が形成されており、肘掛けの支持部が前記座板隙間部から前記背凭れ隙間部に延設され、前記肘掛けの支持部の少なくとも一部は、横断平面視で略楔形状をなす楔部となっており、該楔部が前記座板の端縁同士の間に後方から挿設されて前記座板隙間部に配置されることを特徴とする連結椅子。
【請求項２】
前記座体と前記肘掛けとは、支持脚が設けられた支持フレームにそれぞれ取り付けられることを特徴とする請求項１に記載の連結椅子。
【請求項３】
前記肘掛けの支持部は、前記支持フレームから後方側に傾くように傾斜されることを特徴とする請求項２に記載の連結椅子。
【請求項４】
前記肘掛けの支持部は、前記座板隙間部から広がりながら上方に延設されることを特徴とする請求項１ないし３のいずれかに記載の連結椅子。
【発明の詳細な説明】
【技術分野】
【０００１】
本発明は、多数の人が利用する待合室のような共有空間に設置される連結椅子に関する。
【背景技術】
【０００２】
従来、背凭れと座板とを有する複数の座体を連結した連結椅子は、互いの座板同士の間に隙間を形成した状態となっている（例えば、特許文献１参照）。このような連結椅子は、多数の人が利用する待合室のような共有空間に設置されて使用されるようになっており、子供等も使用するようになっている。そして、待合中の子供などが座板に登ってしまうと、座面同士の間の隙間に足を挟めてしまう場合があり、このような事態を防止するために連結椅子の座板同士の間の隙間を埋める隙間カバーなどがある（例えば、特許文献２参照）。
【先行技術文献】
【特許文献】
【０００３】
【特許文献１】特開２００７−２１１８１６号公報（第１図）
【特許文献２】意匠登録第１３３４４２３号公報（使用状態を示す参考図）
【発明の概要】
【発明が解決しようとする課題】
【０００４】
しかしながら、特許文献２に記載の隙間カバーにあっては、座板同士の間の隙間を埋めるための別部材としての隙間カバーが必要となり、連結椅子の部品点数が増えるばかりか、この隙間カバーを取り付けると肘掛けを設けられなくなるという問題がある。また、座板の端縁同士を近接させることで隙間を埋めることもできるが、この場合も、肘掛けを設けるスペースが無くなるという問題がある。
【０００５】
本発明は、このような問題点に着目してなされたもので、座体の座板同士の間の隙間を無くすことができ、かつ座体同士の間に肘掛けを設けることができる連結椅子を提供することを目的とする。
【課題を解決するための手段】
【０００６】
前記課題を解決するために、本発明の連結椅子は、
背凭れと座板とを有する複数の座体を連結した連結椅子において、
前記座板の端縁同士の少なくとも前部側を接触して配置し、前記座板の端縁同士の後部側が離間されて座板隙間部が形成されるとともに、前記背凭れの端部同士が離間されて背凭れ隙間部が形成されており、肘掛けの支持部が前記座板隙間部から前記背凭れ隙間部に延設され、前記肘掛けの支持部の少なくとも一部は、横断平面視で略楔形状をなす楔部となっており、該楔部が前記座板の端縁同士の間に後方から挿設されて前記座板隙間部に配置されることを特徴としている。
この特徴によれば、座板の端縁同士の少なくとも前部側が接触し、座体の座板同士の間の隙間を無くすことができるばかりか、座板隙間部に肘掛けの支持部が配置されることにより、座板の端縁同士を接触させた状態を維持しつつ、座体同士の間に肘掛けを設けることができ、かつ肘掛けの支持部は背凭れ隙間部を利用して延設されるため、肘掛けの支持部が使用者の邪魔にならずに済むようになる。また、肘掛けの楔部としての支持部の挿入により座板の端縁同士の後部側が離間して座板隙間部が広がって形成されるようになるため、肘掛けの支持部を挿設し易くなる。
【０００８】
本発明の連結椅子は、
前記座体と前記肘掛けとは、支持脚が設けられた支持フレームにそれぞれ取り付けられることを特徴としている。
この特徴によれば、座体と肘掛けとは、それぞれ別個に支持フレームにより支持されるため、座体に座った使用者が肘掛けに荷重を掛けても、その荷重が肘掛けから座体に伝達されずに済むようになり、肘掛けに加わる荷重が座板の端縁同士の近接状態に影響を与えずに済むようになる。
【０００９】
本発明の連結椅子は、
前記肘掛けの支持部は、前記支持フレームから後方側に傾くように傾斜されることを特徴としている。
この特徴によれば、座体に座った使用者が肘掛けに荷重を掛けて肘掛けの支持部が撓む際に、肘掛けの支持部は後方側に向かって撓むようになり、肘掛けの支持部の撓みが座体に影響を与えずに済むため、座板の端縁同士の間が広がったりせずにその近接状態が維持される。
【００１０】
本発明の連結椅子は、
前記肘掛けの支持部は、前記座板隙間部から広がりながら上方に延設されることを特徴としている。
この特徴によれば、肘掛けの支持部の座板隙間部に対応した部位を幅狭にして、かつ座体に座った使用者が肘を掛ける肘掛けの上端部を幅広にすることができ、座板の端縁同士の近接状態を維持しつつ、使い勝手の良い肘掛けにすることができる。
【図面の簡単な説明】
【００１１】
【図１】実施例における連結椅子を示す斜視図である。
【図２】連結椅子を示す側面図である。
【図３】連結椅子を示す正面図である。
【図４】連結椅子を示す横断平面図である。
【発明を実施するための形態】
【００１２】
本発明に係る連結椅子を実施するための形態を実施例に基づいて以下に説明する。
【実施例】
【００１３】
実施例に係る連結椅子につき、図１から図４を参照して説明する。以下、図２の紙面左側を連結椅子の正面側（前方側）とし、図３の紙面手前側を連結椅子の正面側（前方側）とし、図４の紙面下側を連結椅子の正面側（前方側）として説明する。
【００１４】
図１の符号１は、本発明の適用された連結椅子である。図１に示すように、連結椅子１は、床から立設される左右１対の支持脚２と、支持脚２の上部に設けられた支持フレーム３と、３つの座体４と、４つの肘掛け５と、を有し、ロビー等の待合室に設置されて複数の人が着席できるようになっている。
【００１５】
図２に示すように、支持脚２は、側面視で逆Ｖ字状をなしており、前後方向に２本の脚部６，６を有している。支持脚２の上端部は、コ字状をなしており、角柱形状をなす支持フレーム３を取り付けられるようになっている。
【００１６】
左右の支持脚２，２の上端部には、支持フレーム３がそれぞれ係合しており、支持フレーム３の上方からコ字状の固定部材７が螺着されることで、支持フレーム３が支持脚２，２に固定されている。
【００１７】
次に、使用者が腰掛けるための座体４について、図２及び図３を参照して説明する。連結椅子１には、３つの座体４が設けられているが、いずれの座体４も構造は同様になっている。
【００１８】
座体４は、水平方向に向く座板８と、座板８の後方に取り付けられた上下方向に向く背凭れ９と、から構成されており、座体４は、前後方向を向くブラケット１０を介して、支持フレーム３の上方に配置されている。
【００１９】
座板８は、平面視で略四角形状をなしているが、後方側が若干幅狭になっており、後方側の左右幅は、前方側よりも小さく形成されている（図４参照）。また、背凭れ９は、正面視で下方側よりも上方側の左右幅が小さい台形状をなしており、下方側の左右幅は、座板８の後方側の左右幅と略同一となっている（図３参照）。尚、背凭れ９は、後方側に若干傾いており、平面視で後方側に丸みをおびている。
【００２０】
図４に示すように、複数の座体４が近接されて配置され、座板８の左右端縁同士が接触（近接）されている。尚、座板８の端縁同士の後部側は若干離間されて配置されており、座板隙間部１９が形成されている。更に尚、背凭れ９の左右端部同士が離間されて背凭れ隙間部２０が形成されている（図３参照）。
【００２１】
図３に示すように、支持フレーム３の上面には、左右１対のブラケット１０が溶接されており、上部が互いに内側を向く逆Ｌ字状をなし、ブラケット１０の上面は水平面となっている。座板８の下面側には、コ字状の座板取付部材１１が左右２箇所に取り付けられており、ブラケット１０の上部と座板取付部材１１とが螺合され、支持フレーム３に座体４が取り付けられている。
【００２２】
本実施例における連結椅子１には、同一形状の３つの座体４が隣接して支持フレーム３の上方に取り付けられ、それぞれの座体４が左右方向に並設されている（図１参照）。
【００２３】
次に、座体４と座体４との間、及び両端に配置される肘掛け５を例に説明する。いずれの肘掛け５についても、その形状及び取り付け構造は同様になっている。
【００２４】
図２に示すように、肘掛け５は、上部側の肘掛け本体１２と、下部側の肘掛け支持部１３とからなり、肘掛け支持部１３の下端部には、支持フレーム３と係合するコ字状の係合溝１４が形成されており、この係合溝１４が支持フレーム３の上方から係合し、支持フレーム３の下方からコ字状の固定部材１５が螺合され、支持フレーム３に肘掛け５が取り付けられている。
【００２５】
肘掛け支持部１３は、支持フレーム３から後方側に向かって傾くように傾斜されている。また、前方側から後方側にかけて左右幅が大きくなり、その断面は、平面視で楔形状をなしている（図４参照）。尚、この肘掛け支持部１３が本発明の楔部を構成している。
【００２６】
肘掛け５における座板８より上側に位置する肘掛け本体１２は、側面視で三角形状をなし、その内側が開口する略フレーム形状をなしている。また、この肘掛け本体１２は、座板隙間部１９から前方に向かって広がりながら上方に延設される。
【００２７】
尚、肘掛け本体１２は、上部側の肘掛け上端部１６と、後方側の肘掛け後部１７と、前方側の肘掛け前部１８とからなる。更に尚、後方側の肘掛け後部１７と、前方側の肘掛け前部１８と、前述した肘掛け支持部１３とにより本発明における肘掛けの支持部を構成している。
【００２８】
肘掛け支持部１３と肘掛け後部１７の傾きは同一直線上になっており、その傾きは、背凭れ９の角度と略一致している。この肘掛け支持部１３と肘掛け後部１７は、座板隙間部１９から背凭れ隙間部２０に延設されている。また、肘掛け本体１２の肘掛け上端部１６は、水平面となっており、使用者の肘が置かれる程度に左右幅が設けられている。
【００２９】
図３に示すように、尚、肘掛け５は、座板隙間部１９から左右方向に広がりながら上方に延設されている。そして、肘掛け５は、肘掛け支持部１３における座板隙間部１９に対応した部位が幅狭になるように形成されている。
【００３０】
前述したとおり、略四角形状をなす座板８は、後方側の左右幅が前方側よりも小さくなっているため、２つの座板８，８を左右に隣接した際に、座板８，８の左右側面の前方側は互いに接してほぼ隙間がなく、座板８，８間の後方側には、平面視で楔形状の座板隙間部１９が形成される（図４参照）。
【００３１】
肘掛け５が取り付けられることにより、平面視で楔形状の座板隙間部１９に、横断平面視で楔形状の肘掛け支持部１３が収まり、肘掛け５が取り付けられた連結椅子１では、隣接する座板８，８の左右端縁同士の間に前方側から後方側にかけて、ほぼ隙間がない状態となる。
【００３２】
このように、座体４の形状を、座体４が複数隣接された際に、座板８の後方側に座板隙間部１９が形成されるようにするとともに、その座板隙間部１９の形状に合わせて形成された肘掛け支持部１３を座板隙間部１９に配置することにより、座板８の前方側が接した状態で座体４が並設され、かつ肘掛け５が取り付けられた連結椅子１とすることができる。
【００３３】
また、肘掛け支持部１３は、支持フレーム３に取り付けられるため、座板８には、肘掛け５を取り付けるための取付部材を別途必要としない。そのため、肘掛け５を取り付けない連結椅子１として使用することも可能である。そして、本実施例の連結椅子１では、肘掛け５を取り付けていない状態の連結椅子１に対して、後から肘掛け５を取り付けることができる。
【００３４】
また、肘掛け前部１８は、肘掛け支持部１３から前方側に広がるように延びているため、座体４の前方側において、座板８と肘掛け前部１８との間にスペースができ、使用者が着席した際に、座板８の前方側で使用できる左右幅を広くとれるとともに、使用者が足を左右に移動させても肘掛け前部１８にぶつからないようになっている。
【００３５】
また、支持脚２は、座体４の下方位置の支持フレーム３に取り付けることができるため、支持脚２の取り付け位置を、左右端部の肘掛け５の取り付け位置よりも内側にすることにより、支持フレーム３の長さを、連結椅子１の左右両端に取り付けられた肘掛け５までの長さとすることができ、左右幅を最小限に抑えつつ、座板８を広く形成することができる。
【００３６】
また、連結椅子１は、支持フレーム３に支持脚２と、座体４と、肘掛け５とを取り付けることにより完成するため、座体４の設置数に応じた長さの支持フレーム３を用意することで、その他の部材は同一の部材を用いて座体４の設置数の異なる連結椅子１を製造することができ、支持脚２と座体４と肘掛け５の製造ラインを共通化し、かつ部材点数の低減を図り、連結椅子１の製造コストを低減させることができる。
【００３７】
以上、本実施例における連結椅子１では、背凭れ９と座板８とを有する複数の座体４を連結した連結椅子１において、座板８の端縁同士の少なくとも前部側を近接して配置し、座板８の端縁同士の後部側が離間されて座板隙間部１９が形成されるとともに、背凭れ９の端部同士が離間されて背凭れ隙間部２０が形成されており、肘掛け５の支持部１３，１７が座板隙間部１９から背凭れ隙間部２０に延設されることで、座板８の端縁同士の少なくとも前部側が近接され、座体４の座板８同士の間の隙間を無くすことができるばかりか、座板隙間部１９に肘掛け５の支持部１３，１７が配置されることにより、座板８の端縁同士を近接させた状態を維持しつつ、座体４同士の間に肘掛け５を設けることができ、かつ肘掛け５の支持部１３，１７は背凭れ隙間部２０を利用して延設されるため、肘掛け５の支持部１３，１７が使用者の邪魔にならずに済むようになる。
【００３８】
また、肘掛けの支持部１３，１７の少なくとも一部は、横断平面視で略楔形状をなす楔部となっており、この楔部が座板８の端縁同士の間に後方から挿設されて座板隙間部１９に配置されることで、肘掛け５を連結椅子１に後付けで取り付ける際に、座板８の端縁同士が近接されて隙間が無い状態であっても、肘掛け５の楔部としての支持部１３の挿入により座板の端縁同士の後部側が離間して座板隙間部１９が広がって形成されるようになるため、肘掛け５の支持部１３を挿設し易くなる。
【００３９】
また、座体４と肘掛け５とは、支持脚２が設けられた支持フレーム３にそれぞれ取り付けられることで、座体４と肘掛け５とは、それぞれ別個に支持フレーム３により支持されるため、座体４に座った使用者が肘掛け５に荷重を掛けても、その荷重が肘掛け５から座体４に伝達されずに済むようになり、肘掛け５に加わる荷重が座板８の端縁同士の近接状態に影響を与えずに済むようになる。
【００４０】
また、肘掛け５の支持部１３，１７は、支持フレーム３から後方側に傾くように傾斜されることで、座体４に座った使用者が肘掛け５に荷重を掛けて肘掛け５の支持部１３，１７が撓む際に、肘掛け５の支持部１３，１７は後方側に向かって撓むようになり、肘掛け５の支持部１３，１７の撓みが座体４に影響を与えずに済むため、座板４の端縁同士の間が広がったりせずにその近接状態が維持される。
【００４１】
また、肘掛け５の支持部１２，１３は、座板隙間部１５から広がりながら上方に延設されることで、肘掛け５の支持部１２，１３の座板隙間部１５に対応した部位を幅狭にして、かつ座体４に座った使用者が肘を掛ける肘掛け５の上端部を幅広にすることができ、座板８の端縁同士の近接状態を維持しつつ、使い勝手の良い肘掛け５にすることができる。
【００４２】
以上、本発明の実施例を図面により説明してきたが、具体的な構成はこれら実施例に限られるものではなく、本発明の要旨を逸脱しない範囲における変更や追加があっても本発明に含まれる。
【００４３】
例えば、前記実施例では、支持フレーム３に３つの座体４を左右方向に隣接して設置しているが、少なくとも２つ以上の座体４であればよく、座体４をいくつ連結してもよい。多くの座体４を連結する場合には、座体４の設置数に応じた支持フレーム３を用意し、支持脚２を、支持フレーム３の左右端部だけでなく、その中間にも増設することにより、安定した連結椅子１とすることができる。
【符号の説明】
【００４４】
１                連結椅子
２                支持脚
３                支持フレーム
４                座体
５                肘掛け
６                脚部
７                固定部材
８                座板
９                背凭れ
１０              ブラケット
１１              座板取付部材
１２              肘掛け本体
１３              肘掛け支持部（支持部，楔部）
１４              係合溝
１５              固定部材
１６              肘掛け上端部
１７              肘掛け後部（支持部）
１８              肘掛け前部（支持部）
１９              座板隙間部
２０              背凭れ隙間部
【図１】
0005503940.tif 000002
【図２】
0005503940.tif 000003
【図３】
0005503940.tif 000004
【図４】
0005503940.tif 000005